(57)【要約】【課題】使用者が載置設置と吊り下げ設置とが自由に選択して行え、製造者が製品提供を効率良く行える、芳香発生装置や虫除け装置等に使用する成分発生用機器を提供する。【解決手段】  成分発生体を内部に収納して成分発生体からの成分を外部へ放出させる収納体２と、収納体２の設置具３とを備える成分発生用機器であり、設置具３が吊り下げ設置と載置設置との両機能を備えることを特徴とする成分発生用機器。【選択図】図２
2016150023.tif 000002
【特許請求の範囲】
【請求項１】
成分発生体を内部に収納して前記成分発生体からの成分を外部へ放出させる収納体と前記収納体の設置具とを備える成分発生用機器であり、前記設置具が吊り下げ設置と載置設置との両機能を備えることを特徴とする成分発生用機器。
【請求項２】
前記設置具が、吊り下げ設置使用に用いられる前記収納体への吊り下げ突起を備えるとともに被取り付け面への付着構造を持ち、かつ、載置設置使用の際に前記収納体を背面側で支持する支持脚構造を備える請求項１記載の成分発生用機器。
【請求項３】
前記設置具が、吊り下げ設置使用と載置設置使用とを可能とするリング形態である請求項１記載の成分発生用機器。
【請求項４】
前記収納体が環状で、その前面が花輪形態の装飾体により覆われて構成される請求項１記載の成分発生用機器。
【発明の詳細な説明】
【技術分野】
【０００１】
この発明は、芳香発生装置や虫除け装置等において用いられる成分発生用機器に関する。
【背景技術】
【０００２】
各種の芳香発生装置や虫除け装置が提供されており、それらは家具上等に載置設置され、また、上部に吊り下げ部を備えてその吊り下げ部で壁面等に吊り下げ設置される。使用者はその設置位置に対応してそれら装置を選択して購入し、また製造者は２種類の製品を提供している。吊り下げ部を備えるものをそのまま家具上等に載置設置して用いることもできるが、見栄えが悪く設置状態も安定しない。
【発明の概要】
【発明が解決しようとする課題】
【０００３】
この発明では、使用者が載置設置と吊り下げ設置とが自由に選択して行え、製造者が製品提供を効率良く行える、芳香発生装置や虫除け装置等に使用する成分発生用機器を提供することを目的とする。
【課題を解決するための手段】
【０００４】
この発明では、成分発生体を内部に収納して成分発生体からの成分を外部へ放出させる収納体と、収納体の設置具とを備える成分発生用機器であり、設置具が吊り下げ設置と載置設置との両機能を備えることを特徴とする成分発生用機器を提供する。
【０００５】
上記構成によれば、吊り下げ設置と載置設置との両設置形態を可能とする成分発生用機器が得られる。
【０００６】
設置具が、吊り下げ設置使用に用いられる収納体への吊り下げ突起を備えるとともに被取り付け面への付着構造を持ち、かつ、載置設置使用の際に収納体を背面側で支持する支持脚構造を備える構成とすることで、設置具を壁面等に貼り付け吊り下げ突起に収納体を吊り下げて設置でき、また、設置具を支持脚として収納体を載置設置できる。
【０００７】
設置具が、吊り下げ設置使用と載置設置使用とを可能とするリング形態である構成とすることで、リング形態の設置具を吊り下げて吊り下げ設置が行え、リング形態の設置具を台座として載置設置が行える。
【０００８】
収納体が環状で、その前面が花輪形態の装飾体により覆われて構成されるようにすることで、その全体が「花輪」形態となったデザイン性に優れる成分発生用機器が得られる。
【発明の効果】
【０００９】
この発明によれば、吊り下げ設置と載置設置との両設置形態を可能とする成分発生用機器が得られ、これにより、使用者は載置設置と吊り下げ設置とが自由に選択して行え、製造者は製品提供を効率良く行えるようになる。
【図面の簡単な説明】
【００１０】
【図１】この発明の第１の実施形態の成分発生用機器の正面側斜視図
【図２】この発明の第１の実施形態の成分発生用機器の背面側斜視図
【図３】この発明の第１の実施形態の成分発生用機器における収納体の開き状態の外面側斜視図
【図４】この発明の第１の実施形態の成分発生用機器における収納体の開き状態の内面側斜視図
【図５】この発明の第１の実施形態の成分発生用機器の設置構成説明図
【図６】この発明の第１の実施形態の成分発生用機器の設置構成説明図
【図７】この発明の第１の実施形態の成分発生用機器を使用する芳香発生装置の正面図
【図８】この発明の第１の実施形態の成分発生用機器を使用する芳香発生装置において使用する成分発生体の斜視図
【図９】この発明の第２の実施形態の成分発生用機器の正面側斜視図
【図１０】この発明の第２の実施形態の成分発生用機器の収納体の開き状態の斜視図
【図１１】この発明の第２の実施形態の成分発生用機器の設置具における取り付け片へのリング本体の取り付け構成説明図。
【図１２】この発明の第２の実施形態の成分発生用機器の吊り下げ設置構成図
【図１３】この発明の第２の実施形態の成分発生用機器の載置設置構成図
【図１４】この発明の第２の実施形態の成分発生用機器の収納体の開き状態の斜視図
【発明を実施するための形態】
【００１１】
図１はこの発明の成分発生用機器の第１の実施形態の正面側斜視図、図２は同背面側斜視図である。成分発生用機器１は、内部に成分発生体が収納される環状のプラスチックス製の収納体２と、設置具３とからなる。
【００１２】
収納体２は、図３、図４に示すように、環状で中央に円形穴４、円形穴５のそれぞれを備える前面部６と後面部７とからなり、前面部６と後面部７とは一方の側位置でヒンジ部９により連結される状態でプラスチックにより連続一体に形成されている。前面部６と後面部７の他方の側位置には係止片１０と係止部１１とが設けられ、ヒンジ部９で折り畳まれ係止部１１に係止片１０が係止されることで、前面部６と後面部７とは互いが合わされ閉じ状態とされる。
【００１３】
前面部６の外側面にはその環状方向に沿って等間隔に８個の装飾部材の取り付け用突起１４が突設され、外周は８角となることで８片の直線部１５を備えている。また、前面部６の内側面の円形穴４の周囲位置には、後に説明する成分発生体２０の設置部１８が環状に設けられている。後面部７の内側面には一対の湾曲状の凸条２２が設けられ、これら凸条２２は前面部６と後面部７とが閉じられた際に、前面部６の設置部１８に設置される成分発生体２０の周縁部を押さえるように機能する。また、後面部７の上部には横長楕円の吊り下げ用穴２５が設けられ、外側面の下部には設置具３の取り付け用の一対の差し込み部２７が設けられている。
【００１４】
設置具３は略方形のプラスチック片よりなり、上縁に沿って折れ曲がり状に差し込み縁部２８が設けられ、後面側の中央位置には縦長楕円の吊り下げ部３０が突設され、さらに、前面側には表面に離型紙３２を一体とする貼り付け部材３３が取り付けられている。
【００１５】
成分発生用機器１の設置構成を図５、図６を用いて説明する。家具上等に載置設置する場合は、図５に示すように、設置具３の差し込み縁部２８の両端を差し込み部２７それぞれに下方から差し込む。これにより、収納体２の前面部６の１個の直線部１５と設置具３の下縁とが平行する位置において家具の上面に当接することで、成分発生用機器１は家具上に安定配置される。吊り下げ設置する場合は設置具３の貼り付け部材３３の離型紙３２を剥がして壁面に吊り下げ部３０が縦長楕円となるように貼り付け、収納体２を横方向にしてその吊り下げ用穴２５に吊り下げ部３０を差し入れて縦方向に戻して、図６に示すように、収納体２を設置具３に吊り下げる。これにより、成分発生用機器１は壁面に吊り下げられて配置される。
【００１６】
図７は上記成分発生用機器１を使用する芳香発生装置５０の正面図である。芳香発生装置５０は、収納体２内に、図８に示す円形の成分発生体２０が収納され、収納体２の前面部６外側の取り付け用突起１４のそれぞれに８個のバラの造花片４０のそれぞれが、前面部６を全て覆うように係止取り付けられて構成されている。
【００１７】
成分発生体２０は円形で、浅底形態のプラスチック容器４１内に芳香剤４２が充填され、その上部開口に芳香剤４２の透過性フィルム４４が貼り付けられ、販売時には透過性フィルム４４上にアルミシートが貼り付けられている。成分発生体２０は販売時には収納体２内に納められた状態で提供され、使用に際して収納体２内から取り出してそのアルミシートを剥がし再び収納体２内に納めて使用する。成分発生体２０は透過性フィルム４４側が前面部６の円形穴４に臨むように前面部６の設置部１８に納められる。
【００１８】
芳香発生装置５０は、その配置状態において成分発生体２０の透過性フィルム４４を透過した芳香成分が前面部６の円形穴４を通して前方に発散され、設置配置使用された場合には家具上に「花輪」が置かれたように見え、吊り下げ配置使用された場合は壁面に「花輪」が飾られたように見え、ともに意匠性に優れる。
【００１９】
図９はこの発明の成分発生用機器の第２の実施形態の正面側斜視図、図１０はその開き状態の斜視図である。成分発生用機器１００は虫除け装置用であり、内部に虫除け成分発生体が収納される直方体形状のプラスチックス製の収納体１０１と設置具１０２とからなる。収納体１０１は前面部１０５と後面部１０６とからなり、一方側部で一対のヒンジ部１０７で連続し、前面部１０５内の４隅に突出するピン１０９のそれぞれが後面部１０６内の４隅に設けられた嵌合穴１１１のそれぞれに嵌合されることで前面部１０５と後面部１０６とは一体に閉じられる。収納体１０１はその全面に虫除け成分の放出口１０３を備えている。
【００２０】
設置具１０２はリング本体１１２と取り付け片１１３とからなり、図１１に示すように、取り付け片１１３の軸支部１１８にリング本体１１２の細径部１１７が回動可能に装着されて軸支されている。また、リング本体１１２は環状に連続せず、取差し込み部１１９が開かれることでリング本体１１２の細径部１１７が取り付け片１１３の取り付け位置の一方の側位置が切り離し部１１５となっている。
【００２１】
設置具１０２の取り付けは、図１０に示すように、収納体１０１が開かれた状態において取り付け片１１３の軸支穴１２０に収納体１０１の内面に突出する軸支ピン１２１が差し入れられ、収納体１０２が閉じられることで行われ、設置具１０３のリング本体１１２は、図１２に示すように、収納体１０２の端部の上部外方に位置する。この図１２に示す状態において、リング本体１１２が壁面に取り付けられたフック等に係止されることで吊り下げ設置される。両端が壁面に固定されたハンガー形態の係止体には、切り離し部１１５を通して係止体がリング本体１１２内に入れられて吊り下げ配置される。
【００２２】
図１３は成分発生用機器１００の載置設置構成を示す。その際には、図１４に示すように、リング本体１１２内に取り付け片１１３が位置する状態で、取り付け片１１３の一対の係止片１３１が前面部１０５の側部の中央に設けられた係止部１３２に係止され、収納体１０１が閉じられることで行われ、設置具１０２は、リング本体１１２が下方外部に位置して台座として使用される。このように収納体１０１を横方向としリング本体１１２が台座として使用されることで、この成分発生用機器１００を使用する虫除け装置は見栄え良く安定して載置設置されて使用される。また、収納体１０１が浮き状態に使用されて下部の放出口１０３が閉ざされないことで、虫除け成分の発散が効率良く行われる。
【符号の説明】
【００２３】
１  成分発生用機器
２  収納体
３  設置具
２０  成分発生体
【図１】
2016150023.tif 000003
【図２】
2016150023.tif 000004
【図３】
2016150023.tif 000005
【図４】
2016150023.tif 000006
【図５】
2016150023.tif 000007
【図６】
2016150023.tif 000008
【図７】
2016150023.tif 000009
【図８】
2016150023.tif 000010
【図９】
2016150023.tif 000011
【図１０】
2016150023.tif 000012
【図１１】
2016150023.tif 000013
【図１２】
2016150023.tif 000014
【図１３】
2016150023.tif 000015
【図１４】
2016150023.tif 000016